Podtech/llm-jp-corpus-v4-ja_patent huggingface dataset:
【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
以下：
7-(2-クロロ-6-フルオロベンジル)-1,3-ジエチル-8-ピペリジン-1-イル-3,7-ジヒドロ-1H-プリン-2,6-ジオン;
7-(2-クロロ-6-フルオロベンジル)-1-エチル-3-イソプロピル-8-ピペリジン-1-イル-3,7-ジヒドロ-1H-プリン-2,6-ジオン;
7-(2-クロロ-6-フルオロベンジル)-3-エチル-8-ピペリジン-1-イル-1-プロピル-3,7-ジヒドロ-1H-プリン-2,6-ジオン;
7-(2-クロロ-6-フルオロベンジル)-3-イソプロピル-8-ピペリジン-1-イル-1-プロピル-3,7-ジヒドロ-1H-プリン-2,6-ジオン;
7-(2-クロロ-6-フルオロベンジル)-1-イソプロピル-3-メチル-8-ピペリジン-1-イル-3,7-ジヒドロ-1H-プリン-2,6-ジオン;
7-(2-クロロ-6-フルオロベンジル)-1-エチル-3-(2-メトキシエチル)-8-ピペリジン-1-イル-3,7-ジヒドロ-1H-プリン-2,6-ジオン;
メチル[7-(2-クロロ-6-フルオロベンジル)-1-エチル-2,6-ジオキソ-8-ピペリジン-1-イル-1,2,6,7-テトラヒドロ-3H-プリン-3-イル]アセテート;
7-(2-クロロ-6-フルオロベンジル)-1-エチル-3-(2-フェノキシエチル)-8-ピペリジン-1-イル-3,7-ジヒドロ-1H-プリン-2,6-ジオン;
1-ブチル-7-(2-クロロ-6-フルオロベンジル)-3-メチル-8-ピペリジン-1-イル-3,7-ジヒドロ-1H-プリン-2,6-ジオン;
7-(2-クロロ-6-フルオロベンジル)-1-(シクロプロピルメチル)-3-イソプロピル-8-ピペリジン-1-イル-3,7-ジヒドロ-1H-プリン-2,6-ジオン;
7-(2-クロロ-6-フルオロベンジル)-1,3-ジイソプロピル-8-ピペリジン-1-イル-3,7-ジヒドロ-1H-プリン-2,6-ジオン;
7-(2-クロロ-6-フルオロベンジル)-1-シクロプロピル-3-イソプロピル-8-ピペリジン-1-イル-3,7-ジヒドロ-1H-プリン-2,6-ジオン;
7-(2-クロロ-6-フルオロベンジル)-1-エチル-3-メチル-8-ピペリジン-1-イル-3,7-ジヒドロ-1H-プリン-2,6-ジオン;
7-(2-クロロ-6-フルオロベンジル)-3-メチル-8-ピペリジン-1-イル-1-プロピル-3,7-ジヒドロ-1H-プリン-2,6-ジオン;
1-ベンジル-7-(2-クロロ-6-フルオロベンジル)-3-メチル-8-ピペリジン-1-イル-3,7-ジヒドロ-1H-プリン-2,6-ジオン;
7-(2-クロロ-6-フルオロベンジル)-3-エチル-1-メチル-8-ピペリジン-1-イル-3,7-ジヒドロ-1H-プリン-2,6-ジオン;
7-(2-クロロ-6-フルオロベンジル)-1-メチル-8-ピペリジン-1-イル-3-プロピル-3,7-ジヒドロ-1H-プリン-2,6-ジオン;
7-(2-クロロ-6-フルオロベンジル)-3-イソプロピル-1-メチル-8-ピペリジン-1-イル-3,7-ジヒドロ-1H-プリン-2,6-ジオン;
3-ベンジル-7-(2-クロロ-6-フルオロベンジル)-1-メチル-8-ピペリジン-1-イル-3,7-ジヒドロ-1H-プリン-2,6-ジオン;
7-(2-クロロ-6-フルオロベンジル)-8-(3-クロロフェニル)-3-イソプロピル-1-メチル-3,7-ジヒドロ-1H-プリン-2,6-ジオン;
7-(2-クロロ-6-フルオロベンジル)-1,3-ジメチル-8-フェニル-3,7-ジヒドロ-1H-プリン-2,6-ジオン;
7-(2-クロロ-6-フルオロベンジル)-8-(4-クロロフェニル)-1,3-ジメチル-3,7-ジヒドロ-1H-プリン-2,6-ジオン;
7-(2-クロロ-6-フルオロベンジル)-8-(3,5-ジクロロフェニル)-1,3-ジメチル-3,7-ジヒドロ-1H-プリン-2,6-ジオン;
7-(2-クロロ-6-フルオロベンジル)-1,3-ジメチル-8-(2-ナフチル)-3,7-ジヒドロ-1H-プリン-2,6-ジオン;
7-(2-クロロ-6-フルオロベンジル)-8-(3-クロロフェニル)-1,3-ジメチル-3,7-ジヒドロ-1H-プリン-2,6-ジオン;
7-(2-クロロ-6-フルオロベンジル)-1,3-ジメチル-8-[3-(トリフルオロメチル)フェニル]-3,7-ジヒドロ-1H-プリン-2,6-ジオン;
7-(2-クロロ-6-フルオロベンジル)-8-(3-メトキシフェニル)-1,3-ジメチル-3,7-ジヒドロ-1H-プリン-2,6-ジオン;
7-(2-クロロ-6-フルオロベンジル)-8-シクロヘキシル-1,3-ジメチル-3,7-ジヒドロ-1H-プリン-2,6-ジオン;
7-(2-クロロ-6-フルオロベンジル)-8-(3-ヨードフェニル)-1,3-ジメチル-3,7-ジヒドロ-1H-プリン-2,6-ジオン;
1-[7-(2-クロロ-6-フルオロベンジル)-1,3-ジメチル-2,6-ジオキソ-2,3,6,7-テトラヒドロ-1H-プリン-8-イル]ピペリジン-3-カルボン酸;
7-(2-クロロ-6-フルオロベンジル)-8-{3-[(4-ヒドロキシピペリジン-1-イル)カルボニル]ピペリジン-1-イル}-1,3-ジメチル-3,7-ジヒドロ-1H-プリン-2,6-ジオン;
1-[7-(2-クロロ-6-フルオロベンジル)-1,3-ジメチル-2,6-ジオキソ-2,3,6,7-テトラヒドロ-1H-プリン-8-イル]-N-(4-ヒドロキシブチル)ピペリジン-3-カルボキサミド;
7-(2-クロロ-6-フルオロベンジル)-1,3-ジメチル-8-{4-[3-(トリフルオロメチル)フェニル]ピペラジン-1-イル}-3,7-ジヒドロ-1H-プリン-2,6-ジオン;
7-(2-クロロ-6-フルオロベンジル)-8-[4-(3-メトキシフェニル)ピペラジン-1-イル]-1,3-ジメチル-3,7-ジヒドロ-1H-プリン-2,6-ジオン;
7-(2-クロロ-6-フルオロベンジル)-8-{4-[4-クロロ-3-(トリフルオロメチル)フェニル]ピペラジン-1-イル}-1,3-ジメチル-3,7-ジヒドロ-1H-プリン-2,6-ジオン;
からなる群より選択される化合物、または薬学上許容しうるその塩もしくは溶媒和物。
【請求項２】
請求項１に記載される化合物を含む、LXR媒介性の疾患を予防または治療するための医薬組成物。
【手続補正書】
【提出日】平成17年11月11日(2005.11.11)
【手続補正１】
【補正対象書類名】特許請求の範囲
【補正対象項目名】請求項８
【補正方法】変更
【補正の内容】
【請求項８】
二組のクランプローラー（１３、１４）の一方の組が他方の上方に位置する、請求項７に記載のデバイス。
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
胴部及び瓶の首封止剤から構成される、その首部上に突起を有する瓶のキャップであって、各肩にＬ−型溝が設けられるように、二つの肩部４が胴部１に取り付けられている胴部１の封剤２が動かないように配置され、ここへ突起５の一つがはまり込み、そして各Ｌ型溝７はその底端部にはこぶ８を、そして上端部には中空部１０が設けられ、これにより瓶の首１１上の突起８は全て突起５に応じて配置され、キャップの開位置では中空８にはまり込み、キャップの閉位置では突起５は結合要素１２により固定される、関係する溝７にはまり込むことを特徴とする、瓶のキャップ。
【請求項２】
各肩部４の底端部に突起６が配置されることを特徴とする、請求項１に記載の瓶のキャップ。
【請求項３】
封止剤２は弾力のある材料でできており、圧縮時、弾性変形が可能で、その底部には封止剤２が球体の一部として取り付けられることを特徴とする、請求項１に記載の瓶のキャップ
【手続補正２】
【補正対象書類名】明細書
【補正対象項目名】全文
【補正方法】変更
【補正の内容】
【書類名】明細書
【発明の名称】瓶のキャップ
【技術分野】
【０００１】
本発明は瓶のキャップに関し、工業用の用途を見出す。
【背景技術】
【０００２】
突出首部を有する瓶のキャップはよく知られており、そのキャップは胴部と首部封止剤から構成される。キャップ胴部には二つのクランプが取外し可能で取り付けられる。瓶の首部の突出部には二つのＬ型の対称な長さ方向の溝が配置され、この中をクランプの自由端がキャップ（１）開閉時に移動する。
【０００３】
よく知られたこのようなキャップは、クランプがＬ型溝から外れる危険があるので、使用には安全ではない。
【発明の開示】
【０００４】
この発明の目的は繰り返し使用でき、非常に安全な一体型キャップを作ることである。
【０００５】
瓶用キャップを作ることによりこの目的を達成し、このキャップは首部が突出し、弾力のある封止剤が動かないように取り付けられた胴部からなる。キャップ胴部には二つの肩部が付けられる。各肩部にはＬ型溝があり、その底端部にはこぶがあり、反対端部は中空である。
【０００６】
瓶の首に対称に肩部上のＬ型溝に対応する二つの突起が１８０度で配置される。
【０００７】
キャップの開位置で各突起は関係するこぶに配置され、そしてキャップの閉位置で各突起は関係する中空に取り付けられる。
【０００８】
その底部には各肩部が結合要素で終端する。
【０００９】
各肩部のＬ型溝の近くには突出部が設けられる。
【００１０】
封止材は弾性体で出来ており、押した時に弾性変形が起こるようになっている。
【００１１】
キャップはコンパクトで安全であり、単純な構造をしている。その胴部、肩部及び結合要素は一つの一体型ブロック内に設けられる。
【００１３】
本発明は以下の例で実証する。
【００１４】
キャップは金属、陶器、プラスチック又は別の合成材料のような色々な材料で作られる。
【００１５】
キャップは封止剤２が動かないように取り付けられる胴部１から構成される。封止剤は弾性材料から作られ、押した時弾性変形を可能にする。から作られ、押した時弾性変形を可能にする。その底部には球の一部のような封止剤２が配置される。胴部１の両側上に対称に二つの肩部４が配置される。各肩部４上にはＬ型溝７が配置され、その底端部にはこぶ８があり、その上部端には中空部が作られる。各肩部の底部に結合要素１２が取り付けられる。キャップの胴部１、肩部４及び結合要素１２は一つの一体型ブロック内に設けられる。
【００１６】
瓶の首１１上には突起５が１８０度の角度で配置され、各突起は関係するＬ型溝７に配置される。
【００１７】
Ｌ型溝７に近い、各肩部７の底部には、突起６が配置される。
【産業上の利用可能性】
【００１８】
キャップは素早く液を戻すために瓶と共に使用される。
【００１９】
キャップ胴部１は瓶の口１１を閉める。閉めた位置でその底部の封止剤２は瓶１１の口エッジと接触する。封止剤２は絞られ、キャップ上に張力を作り出し、キャップが自由に動けなくする。肩部４の底部に配置された突起６を引き出すと、キャップは瓶の首１１から外れ、溝７の型によりある程度の余裕ができ、突起５はそれらにはまる。
【００２０】
結合要素１２を引き出すと開けることができる。これらは使用者が自分の手をその上に置き、結合要素を引き出すことにより瓶を開くことができる寸法でつくられる。キャップは突起５の周りで回転し、Ｌ型溝７の底端部に配置されたこぶ８により、その端の位置に取り付けられ、これにより瓶１１上へ傾斜させた時にそれを閉めることができなくなる。
【００２１】
瓶を閉めるには逆の順で実行する。キャップは瓶の口１１上に配置され、結合要素１２が押される。次に突起５は中空部１０へはまり、弾力のある封止剤２はその形を崩し、瓶の口１１を強く閉める。
【００２２】
キャップは瓶１１から離れてないのは、肩部４によりそれが瓶の首１１へ動ける状態で接続されるからである。キャップ構造は、それから離れずに、瓶１１を何回も開閉することを可能にする。瓶１１はそれを掴むこの手一本で開け閉めできる。閉めるときは弾力のある封止剤２を押すことにより行われ、キャップ胴部１及び瓶の首１１上に同時に張力を作り出す弾性封止剤２を押すことにより行われる。
【図面の簡単な説明】
【図１】肩部に平行な立面のキャップを示す。
【図２】キャップの開位置の瓶の立面図を示す。
【図３】キャップの肩部に平行な率面図を示す。
【図４】瓶の突起による立断面を示す。
【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
再補充可能なポーチ及びクリップの構成からなる製品であって、
複数のシールされた側部及び開放端を含む再補充可能なポーチと、
クランプ面とラッチ部品とヒンジ部品とを含み、所望の方位に機械的に操作される第１クリップ部材と、
クランプ面とラッチ部品とヒンジ部品とを含み、所望の方位に機械的に操作される第２クリップ部材と、
を備え、
前記ヒンジ部品の少なくとも１つが、一方のクリップ部材の一端近傍のネック状領域を含み、前記ネック状領域が、それぞれのクリップ部材の薄い可撓性部分からなり、
前記クランプ面が、一方が他方に対して向かい合うように配設され、前記ラッチ部品及び前記ヒンジ部品が、それぞれ、一方が他方に対して向かい合うように配設され、前記ポーチの前記開放端近傍が該クランプ面の間に配置された状態で、前記第１及び第２のクリップ部材が位置合わせされた離間関係で配置され、
前記第１及び第２のクリップ部材が、前記ヒンジ部品を接合することにより互いに締結されて、ヒンジ端部と開放可能なラッチ端部とを有するクリップが形成され、前記ポーチを該クリップ部材の前記クランプ面の間に捕捉して保持するようになり、前記可撓性ネックが該第１及び第２のクリップ部材を互いにヒンジ結合するようになったことを特徴とする製品。
【請求項２】
前記クリップ部材の一方が実質的に平坦なブレードからなり、該クリップ部材の他方がトラフからなる請求項１に記載の製品。
【請求項３】
前記ヒンジ部品が、恒久的に互いに締結された請求項１に記載の製品。
【請求項４】
前記ヒンジ部品を互いに超音波結合することからなる請求項１に記載の製品。
【請求項５】
前記ヒンジ部品を互いに熱結合することからなる請求項１に記載の製品。
【請求項６】
前記ネック状領域は、前記クリップが、該ネック状領域の周りで、実質的に１つの平面でヒンジ運動するのを可能にするようになった請求項１に記載の製品。
【請求項７】
前記ポーチが、アイスパック、医療処置に用いられるようにされたポーチまたは人工肛門ポーチである請求項１に記載の製品。
【請求項８】
前記ポーチが液体を収容するものであり、前記クリップが前記液体を該ポーチ内にシールするようになった請求項１に記載の製品。
【請求項９】
クリップにより漏れをシールするポーチであって、
複数のシールされた側部と、ポーチの一部をクリップのクランプ面の間に固定するクリップにより漏れがシールされる開放端とを含み、前記クリップは、１つのクリップ部材がほぼ平坦なブレードであり、他方のクリップ部材がトラフである、２つのクリップ部材からなり、前記クリップが、一端で剛に接合されてネック状領域とともに連結端部を形成するようになっており、前記ネック状領域は前記連結端部に近接する少なくとも１つのクリップ部材に配置されるものであり、前記ネック状領域は、該クリップをヒンジ運動して、これを選択的に開閉し、選択的に前記ポーチをシールし、該シールを開くようにするものであり、後続の機械的操作及び分配のために、該ポーチがクリップ部材の間に配設され、剛に接合されるべき前記端部が、一方が他方に対して向かい合うように配設され、位置合わせされた離間関係で、各々のクリップ部材を供給機構の中に搭載することにより、前記連結端部が形成され、次いで、前記ポーチが前記クランプ面の間に配置された状態で締結されるようになったことを特徴とするポーチ。
【請求項１０】
前記クリップが前記ポーチに接着された請求項９に記載のポーチ。
【請求項１１】
少なくとも１つのクリップ部材が接着剤により前記ポーチに接着された請求項１０に記載のポーチ。
【請求項１２】
少なくとも１つのクリップ部材が接着テープにより前記ポーチに接着された請求項１０に記載のポーチ。
【請求項１３】
前記クリップ部材を、恒久的に、前記連結端部で締結することからなる請求項９に記載のポーチ。
【請求項１４】
前記クリップ部材を前記連結端部で超音波結合することからなる請求項９に記載の製品。
【請求項１５】
前記クリップ部材を前記連結端部で熱結合することからなる請求項９に記載のポーチ。
【請求項１６】
前記ポーチが、アイスパック、医療処置に用いられるようにされたポーチ、人工肛門ポーチまたは生理食塩水ポーチである請求項９に記載のポーチ。
【手続補正書】
【提出日】平成18年6月13日(2006.6.13)
【手続補正１】
【補正対象書類名】特許請求の範囲
【補正対象項目名】請求項６
【補正方法】変更
【補正の内容】
【請求項６】
式（IVa）：
【化２６】
2005538964.tif 000001
［式中、
Ｔ1、Ｔ2、Ｔ3及びＴ4は、独立に、メチル又はエチルであり（ただし、少なくとも１つは、エチルである）；
Ｔ7は、水素又はメチルであり；
Ｅ1は、下記式：
【化２７】
2005538964.tif 000002
（ここで、ｘは、２〜１２の数である）で示される基であり、
Ｋ6は、−ＣＨ2−アリール、下記式：
【化２８】
2005538964.tif 000003
で示される基、−ＣＨ2−ＣＨ2−アリール、下記式：
【化２９】
2005538964.tif 000004
で示される基、（Ｃ5−Ｃ6シクロアルキル）2ＣＣＮ、（Ｃ1−Ｃ12アルキル）2ＣＣＮ、−ＣＨ2ＣＨ＝ＣＨ2、（Ｃ1−Ｃ12）アルキル−ＣＲ30−Ｃ（Ｏ）−（Ｃ1−Ｃ12）アルキル、（Ｃ1−Ｃ12）アルキル−ＣＲ30−Ｃ（Ｏ）−（Ｃ6−Ｃ10）アリール、（Ｃ1−Ｃ12）アルキル−ＣＲ30−Ｃ（Ｏ）−（Ｃ1−Ｃ12）アルコキシ、（Ｃ1−Ｃ12）アルキル−ＣＲ30−Ｃ（Ｏ）−フェノキシ、（Ｃ1−Ｃ12）アルキル−ＣＲ30−Ｃ（Ｏ）−Ｎ−ジ（Ｃ1−Ｃ12）アルキル、（Ｃ1−Ｃ12）アルキル−ＣＲ30−ＣＯ−ＮＨ（Ｃ1−Ｃ12）アルキル、（Ｃ1−Ｃ12）アルキル−ＣＲ30−ＣＯ−ＮＨ2、−ＣＨ2ＣＨ＝ＣＨ−ＣＨ3、−ＣＨ2−Ｃ（ＣＨ3）＝ＣＨ2、−ＣＨ2−ＣＨ＝ＣＨ−フェニル、下記式：
【化３０】
2005538964.tif 000005
で示される基、３−シクロヘキセニル、３−シクロペンテニル、下記式：
【化３１】
2005538964.tif 000006
で示される基よりなる群から選択され、ここで
Ｒ30は、水素又はＣ1−Ｃ12アルキルであり；
アルキル基は、非置換であるか、又は１個以上の−ＯＨ、−ＣＯＯＨ若しくは−Ｃ（Ｏ）Ｒ30基により置換されており；そして
アリール基は、非置換であるか、又はＣ1−Ｃ12アルキル、ハロゲン、Ｃ1−Ｃ12アルコキシ、Ｃ1−Ｃ12アルキルカルボニル、グリシジルオキシ、ＯＨ、−ＣＯＯＨ若しくは−ＣＯＯ（Ｃ1−Ｃ12）アルキルにより置換されている、フェニル又はナフチルであり、そして
Ｘ-及び他の置換基は、請求項１と同義である］で示される化合物。
【手続補正２】
【補正対象書類名】特許請求の範囲
【補正対象項目名】請求項１１
【補正方法】変更
【補正の内容】
【請求項１１】
モノマー／ポリマー粘土ナノコンポジット分散物の製造方法であって、
Ａ）部分的に層間挿入及び／又は層剥離することができ、交換性カチオンを有する天然又は合成粘土の第１の水性分散物を準備する工程；
該分散物に請求項１記載の化合物を加え、そして該カチオンを少なくとも部分的に交換する工程；
Ｂ）該分散物に少なくとも１種のエチレン不飽和モノマー又はオリゴマーを加え、そして該エチレン不飽和モノマー又はオリゴマーの少なくとも一部を重合する工程
を含むことを特徴とする方法。
【手続補正３】
【補正対象書類名】特許請求の範囲
【補正対象項目名】請求項１３
【補正方法】変更
【補正の内容】
【請求項１３】
請求項１記載の化合物が、粘土の重量に基づいて、１〜１００重量％の量で加えられる、請求項１１記載の方法。
【手続補正４】
【補正対象書類名】特許請求の範囲
【補正対象項目名】請求項１５
【補正方法】変更
【補正の内容】
【請求項１５】
エチレン不飽和モノマー又はオリゴマーが、スチレン、α−メチルスチレン、ｐ−メチルスチレン、又は式：ＣＨ2＝Ｃ（Ｒa）−（Ｃ＝Ｚ）−Ｒb［式中、Ｒaは、水素又はＣ1−Ｃ4アルキルであり、Ｒbは、ＮＨ2、Ｏ-（Ｍｅ+）、グリシジル、非置換Ｃ1−Ｃ18アルコキシ、少なくとも１個のＮ及び／又はＯ原子により中断されているＣ2−Ｃ100アルコキシ、若しくはヒドロキシ置換Ｃ1−Ｃ18アルコキシ、非置換Ｃ1−Ｃ18アルキルアミノ、ジ（Ｃ1−Ｃ18アルキル）アミノ、ヒドロキシ置換Ｃ1−Ｃ18アルキルアミノ、若しくはヒドロキシ置換ジ（Ｃ1−Ｃ18アルキル）アミノ、−Ｏ−ＣＨ2−ＣＨ2−Ｎ（ＣＨ3）2、又は−Ｏ−ＣＨ2−ＣＨ2−Ｎ+Ｈ（ＣＨ3）2Ａｎ-であり；Ａｎ-は、一価の有機又は無機酸のアニオンであり；Ｍｅは、一価金属原子又はアンモニウムイオンであり；Ｚは、酸素又は硫黄である］の化合物である、請求項１４記載の方法。
【手続補正５】
【補正対象書類名】特許請求の範囲
【補正対象項目名】請求項２１
【補正方法】変更
【補正の内容】
【請求項２１】
エチレン不飽和モノマー及び／又は有機溶媒を更に含む、請求項２０記載の組成物。
【手続補正６】
【補正対象書類名】特許請求の範囲
【補正対象項目名】請求項２２
【補正方法】変更
【補正の内容】
【請求項２２】
エチレン不飽和モノマーの重合のための、請求項１記載の式（Ｉ）又は（II）の化合物の使用。
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
骨格環化構造が少なくとも一つの構築単位及び第二構築単位、配列のアミノ酸残基の側鎖又は末端アミノ酸からなる群から選択された第二基からなるキレート形成基に対する金属錯体形成により形成されるアミノ酸のＮα−ω−官能化誘導体からなる少なくとも一つの構築単位を組み込んだ３から２４アミノ酸のソマトスタチン同族体。
【請求項２】
キレート形成基が４個のドナー原子からなる請求項１に記載のソマトスタチン同族体。
【請求項３】
キレート形成基がＮ２Ｓ２タイプである請求項２に記載のソマトスタチン同族体。
【請求項４】
一般式Ｎｏ．３（ＳＥＱ  ＩＤ  ＮＯ：１）：
【化１】
2005538966.tif 000001
式中ｎ＝１から６；
Ｑは存在しないか又はガンマアミノ酪酸（ＧＡＢＡ），Ｇｌｙ，及びβＡｌａからなる群から選択されている；
Ｘは末端のカルボン酸、アミド又はアルコール基を示す；
Ｃｙｓ１及びＣｙｓ２はそれぞれ独立してＬ又はＤ異性体；そして
Ｍは金属、
を有する同族体からなる請求項１に記載のソマトスタチン同族体。
【請求項５】
式中：
ｎ＝２，３，又は６；
Ｑは存在しないか又はβＡｌａ；
Ｃｙｓ２はＬＣｙｓ；
Ｘはアミド；そして
Ｍは［ｎａｔＲｅ］オキソレニウム（Ｖ）、［１８６Ｒｅ］オキソレニウム（Ｖ）、［１８８Ｒｅ］オキソレニウム（Ｖ）又は［９９ｍＴｃ］オキソテクネチウム（Ｖ）からなる群から選択された放射性金属、
である請求項４に記載のソマトスタチン同族体。
【請求項６】
下記からなる群：
2005538966.tif 000002
その中のアスタリスクは金属錯体形成により環化するために使用されるキレート形成基を示す、
から選択された請求項４に記載のソマトスタチン同族体。
【請求項７】
キレート形成基が放射性アイソトープと錯体を構成する請求項１に記載のソマトスタチン同族体。
【請求項８】
放射性アイソトープが９９ｍＴｃ，１８６Ｒｅ及び１８８Ｒｅから選択されている請求項７に記載のソマトスタチン同族体。
【請求項９】
骨格環化構造が少なくとも一つの構築単位及び第二構築単位、配列のアミノ酸残基の側鎖又は末端アミノ酸からなる群から選択された第二基からなるキレート形成基に対する放射性金属の錯体形成により形成される、少なくとも一つの構築単位、その構築単位はアミノ酸のＮα−ω−官能化誘導体からなる、を組み込んだ３から２４アミノ酸のソマトスタチン同族体からなる放射性標識ペプチド同族体。
【請求項１０】
哺乳動物体内の造影部位に使用するための請求項９に記載の放射性標識ペプチド同族体。
【請求項１１】
インビトロ又はエクスビボにおける診断に使用するための請求項９に記載の放射性標識ペプチド同族体。
【請求項１２】
骨格環化構造が少なくとも一つの構築単位及び第二構築単位、配列のアミノ酸残基の側鎖又は末端アミノ酸残基からなる群から選択された第二基からなるキレート形成部に対する金属錯体形成により形成される、アミノ酸のＮα−ω−官能化誘導体からなる少なくとも一つの構築単位を組み込んだ３から２４アミノ酸のソマトスタチン同族体からなり；さらに医薬として受容しうる担体からなる医薬組成物。
【請求項１３】
キレート形成基が４個のドナー原子からなる請求項１２に記載の医薬組成物。
【請求項１４】
キレート形成基がＮ２Ｓ２タイプである請求項１３に記載の医薬組成物。
【請求項１５】
ソマトスタチン同族体が一般式Ｎｏ．３（ＳＥＱ  ＩＤ  ＮＯ．１）である：
【化２】
2005538966.tif 000003
式中ｎ＝１から６；
Ｑは存在しないか又はガンマアミノ酪酸（ＧＡＢＡ），Ｇｌｙ，及びβＡｌａからなる群から選択されている；
Ｘは末端のカルボン酸、アミド又はアルコール基を示す；
Ｃｙｓ１及びＣｙｓ２はそれぞれ独立してＬ又はＤ異性体；そして
Ｍは金属、
である請求項１２に記載の医薬組成物。
【請求項１６】
式中：
ｎ＝２，３，又は６；
Ｑは存在しないか又はβＡｌａ；
Ｃｙｓ２はＬＣｙｓ；
Ｘはアミド；そして
Ｍは［ｎａｔＲｅ］オキソレニウム（Ｖ）、［１８６Ｒｅ］オキソレニウム（Ｖ）、［１８８Ｒｅ］オキソレニウム（Ｖ）又は［９９ｍＴｃ］オキソテクネチウム（Ｖ）からなる群から選択された放射性金属である、
請求項１５に記載の医薬組成物。
【請求項１７】
下記からなる群：
2005538966.tif 000004
その中のアスタリスクは金属錯体形成により環化するために使用されるキレート形成基を示す、
から選択された請求項１５に記載の医薬組成物。
【請求項１８】
ソマトスタチン同族体が一つのソマトスタチン受容体サブタイプに対して選択的である請求項１２に記載の医薬組成物。
【請求項１９】
ソマトスタチン同族体が二つ以上のソマトスタチン受容体サブタイプに対して選択的である請求項１２に記載の医薬組成物。
【請求項２０】
骨格環化構造が少なくとも一つの構築単位及び第二構築単位、配列のアミノ酸残基の側鎖又は末端アミノ酸残基からなる群から選択された第二基からなるキレート形成部に対する金属錯体形成により形成される、アミノ酸のＮα−ω−官能化誘導体からなる少なくとも一つの構築単位を組み込んだ３から２４アミノ酸のソマトスタチン同族体の使用であって、癌及び同種移植片拒絶の診断又は治療のための医薬組成物を製造するための使用。
【請求項２１】
ソマトスタチン同族体が転移の存在を造影するために使用される請求項２０に記載の使用。
【請求項２２】
ソマトスタチン同族体が検出可能なトレーサーで標識される請求項２０に記載の使用。
【請求項２３】
ソマトスタチン同族体が一つのソマトスタチン受容体サブタイプに選択的である請求項２０に記載の使用。
【請求項２４】
ソマトスタチン同族体が二つ以上のソマトスタチン受容体サブタイプに選択的である請求項２０に記載の使用。
【請求項２５】
請求項１−１６のいずれか一つに記載の金属錯体形成により骨格が環化したソマトスタチン同族体の使用であって、癌、自己免疫疾患、内分泌障害、糖尿病合併症、胃腸管障害、炎症性疾患、膵炎、アテローム性動脈硬化症、再閉塞、同種移植片拒絶、及び手術後の痛み、からなる群から選択した障害を診断、治療又は防ぐための医薬組成物を製造するための使用。
【請求項２６】
ソマトスタチン同族体が一つのソマトスタチン受容体サブタイプに選択的である請求項２５に記載の使用。
【請求項２７】
ソマトスタチン同族体が二つ以上のソマトスタチン受容体サブタイプに選択的である請求項２５に記載の使用。
【請求項２８】
該キットが金属錯体形成により骨格が環化したソマトスタチン同族体を含む、哺乳動物体内の造影部位のためのシンチグラフ造影剤を調製するためのキット。
【請求項２９】
骨格環化放射能標識ペプチドを形成するために、請求項１に記載のソマトスタチン同族体を放射性金属及び金属を還元するための適当な添加物と反応させることからなる哺乳動物体内のシンチグラフ造影部位のための試薬を調製する方法。
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
治療方法で使用するための下記式Ｉの化合物および該化合物の製薬上許容される塩。
【化１】
2005538975.tif 000001
［式中、
-X=Y-は、-CR2=CR3-および-CR2=N-から選択され;
R1は、H、ハロ、NRR'、NHC(=O)R、NHC(=O)NRR'、NH2SO2RおよびC(=O)NRR'から選択され；RおよびR'はHおよびC1-4アルキルから独立に選択され、OH、NH2、SO2-NH2、C5-20カルボアリール、C5-20ヘテロアリールおよびC3-20複素環によって置換されていても良く、あるいは一体となって、それらが結合している窒素原子とともに、置換されていても良い窒素含有C5-7複素環基を形成していても良く;
R2およびR3(存在する場合)は独立に、H、置換されていても良いC1-7アルキル、置換されていても良いC5-20アリール、置換されていても良いC3-20複素環、ハロ、アミノ、アミド、ヒドロキシ、エーテル、チオ、チオエーテル、アシルアミド、ウレイドおよびスルホンアミノから選択され;
R4は、置換されていても良いC5-20カルボアリールまたはC5-20ヘテロアリール基であり;
R5は、R5′、ハロ、NHR5′、C(=O)NHR5′、OR5′、SR5′、NHC(=O)R5′、NHC(=O)NHR5′、NHS(=O)2R5′から選択され；R5′はHまたはC1-3アルキル(ハロ、NH2、OH、SHによって置換されていても良い)である。］
【請求項２】
-X=Y-が-CR2=N-である請求項１に記載の化合物。
【請求項３】
R5がR5′、ハロ、NHR5′、OR5′、SR5′から選択され；R5′がHまたはC1-3アルキル(ハロ、NH2、OH、SHによって置換されていても良い)である請求項１または２に記載の化合物。
【請求項４】
R5がHおよびNH2から選択される請求項３に記載の化合物。
【請求項５】
R1がH、NRR'、NHC(=O)R、NHC(=O)NRR'およびNH2SO2Rから選択される請求項１〜４のいずれか１項に記載の化合物。
【請求項６】
R1がHおよびNH2から選択される請求項６に記載の化合物。
【請求項７】
R2およびR3(存在する場合)が独立に、H、ハロ、アミノ、ヒドロキシおよびチオから選択される請求項１〜６のいずれか１項に記載の化合物。
【請求項８】
R2およびR3(存在する場合)がHおよびハロから選択される請求項７に記載の化合物。
【請求項９】
R4が置換されていても良いC5-10アリール基である請求項１〜８のいずれか１項に記載の化合物。
【請求項１０】
R4がC5-10カルボアリール基および１個もしくは２個の窒素環原子を有するC5-10ヘテロアリール基から選択される請求項９に記載の化合物。
【請求項１１】
R4が、置換されていても良いフェニルまたはナフチル基である請求項１０に記載の化合物。
【請求項１２】
R4が、独立にハロ、エーテル、C1-7アルキル、C5-20アリール、アミド、アシルアミド、ウレイド、カーバメートおよび逆カーバメートから選択される１個もしくは２個の置換基で置換されたフェニル基である請求項１１に記載の化合物。
【請求項１３】
下記式IIaまたは下記式IIbの構造を有する請求項１に記載の化合物。
【化２】
2005538975.tif 000002
［式中、
R'1は、H、NRC1RC2、NHC(=O)RC1、NHC(=O)NRC1RC2、NH2SO2RC1およびC(=O)NRC1RC2から選択され；RC1およびRC2は独立に、HおよびC1-4アルキルから選択され、OH、NH2、C5-20カルボアリールおよびC5-20ヘテロアリールによって置換されていても良く、あるいは一体となって、それらが結合している窒素原子とともに、置換されていても良い窒素含有C5-7複素環基を形成していても良く；
R'5は、HおよびNH2から選択され;
Xは、Hおよびハロから選択され;
RL1は、-NH-C(=O)-、-NH-C(=O)-NH-、-NH-C(=O)-O-または-O-C(=O)-NH-から選択され;
RL2は、H、置換されていても良いC5-20カルボアリールおよび置換されていても良いC5-20ヘテロアリールから選択され；ただしRL1が-NH-C(=O)-O-である場合には、RL2はHであることはできない。］
【請求項１４】
式IIaの構造を有する請求項１３に記載の化合物。
【請求項１５】
R'1がHおよびNRC1RC2から選択される請求項１４に記載の化合物。
【請求項１６】
R'1がHおよびNHRC1から選択される請求項１５に記載の化合物。
【請求項１７】
R'5がHである請求項１４〜１６のいずれか１項に記載の化合物。
【請求項１８】
Xがハロである請求項１４〜１７のいずれか１項に記載の化合物。
【請求項１９】
RL1が-NH-C(=O)-である請求項１４〜１８のいずれか１項に記載の化合物。
【請求項２０】
RL2がC5-20カルボアリールまたはC5-20ヘテロアリール基である請求項１４〜１９のいずれか１項に記載の化合物。
【請求項２１】
式IIbの構造を有する請求項１３に記載の化合物。
【請求項２２】
R'1がHおよびNRC1RC2から選択される請求項２１に記載の化合物。
【請求項２３】
R'5がHである請求項２１または請求項２２に記載の化合物。
【請求項２４】
Xがハロである請求項２１〜２３のいずれか１項に記載の化合物。
【請求項２５】
RL1が-NH-C(=O)-NH-である請求項２１〜２４のいずれか１項に記載の化合物。
【請求項２６】
RL2がC5-20カルボアリールまたはC5-20ヘテロアリール基である請求項２１〜２５のいずれか１項に記載の化合物。
【請求項２７】
請求項１３〜２６のいずれか１項に記載の式IIaもしくはIIbの化合物あるいは該化合物の異性体、塩、溶媒和物またはプロドラッグ。
【請求項２８】
請求項１〜２６のいずれか１項に記載の化合物および製薬上許容される担体または希釈剤を含む組成物。
【請求項２９】
p38MAPキナーゼ阻害によって改善される状態の治療に使用するための医薬の製造における請求項１〜２６のいずれか１項に記載の化合物の使用。
【請求項３０】
p38MAPキナーゼ阻害によって改善される前記状態が関節炎状態である請求項２９に記載の使用。
【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
第一ポリペプチドおよび第二ポリペプチドを包む実質的に純粋なタンパク質複合体であって、第一ポリペプチドが配列番号：１のアミノ酸配列を含み、第二ポリペプチドが配列番号：２、３、４、５、６または７のアミノ酸配列を含むものであるタンパク質複合体。
【請求項２】
第二ポリペプチドが配列番号：２のアミノ酸配列を含む、請求項１に記載のタンパク質複合体。
【請求項３】
第二ポリペプチドが配列番号：３のアミノ酸配列を含む、請求項１に記載のタンパク質複合体。
【請求項４】
第二ポリペプチドが配列番号：４のアミノ酸配列を含む、請求項１に記載のタンパク質複合体。
【請求項５】
第二ポリペプチドが配列番号：５のアミノ酸配列を含む、請求項１に記載のタンパク質複合体。
【請求項６】
第二ポリペプチドが配列番号：６のアミノ酸配列を含む、請求項１に記載のタンパク質複合体。
【請求項７】
第二ポリペプチドが配列番号：７のアミノ酸配列を含む、請求項１に記載のタンパク質複合体。
【請求項８】
ＦＯＸＣ２発現または活性に関する病状の処置または予防に有効な量の請求項１のタンパク質複合体および製薬的に許容可能な担体を含む医薬組成物。
【請求項９】
ＦＯＸＣ２発現または活性を変調するための医薬組成物であり、細胞にてＦＯＸＣ２の発現または活性を変調するために十分な量の配列番号：２、３、４、５、６または７のアミノ酸配列を含むポリペプチド、またはポリペプチドをコードする核酸を含み、ＦＯＸＣ２を発現する細胞と接触させられることを特徴とする医薬組成物。
【請求項１０】
変調されたＦＯＸＣ２活性によって処置可能な病状の処置または予防のための医薬組成物であり、変調されたＦＯＸＣ２活性によって処置可能な病状の処置または予防に有効な量の配列番号：２、３、４、５、６または７のアミノ酸配列を含むポリペプチドおよび製薬的に許容可能な担体を含み、そのような処置または予防を必要とする患者に対して投与されることを特徴とする医薬組成物。
【請求項１１】
病状がＦＯＸＣ２活性の増大によって処置され得る、請求項１０に記載の医薬組成物。
【請求項１２】
病状が肥満症、高トリグリセリド血症、食事誘導インスリン抵抗性または２型糖尿病である、請求項１１に記載の医薬組成物。
【請求項１３】
病状がＦＯＸＣ２活性の減少によって処置され得る、請求項１０に記載の医薬組成物。
【請求項１４】
病状が食欲不振である請求項１３に記載の医薬組成物。
【請求項１５】
ＦＯＸＣ２タンパク質複合体の形成を変調する物質を同定する方法であって、
（ｉ）候補物質の存在下にて配列番号：１のアミノ酸配列を含む第一ポリペプチドと配列番号：２、３、４、５、６または７のアミノ酸配列を含む第二ポリペプチドとを接触させ；
（ｉｉ）候補物質の存在下における第一ポリペプチドと第二ポリペプチド間の複合体の形成を測定し；そして、
（ｉｉｉ）候補物質の存在下における第一ポリペプチドと第二ポリペプチド間の複合体の形成と、候補物質の不存在下における第一ポリペプチドと第二ポリペプチドの複合体の形成とを比較し、
そのことにより候補物質がＦＯＸＣ２タンパク質複合体の形成を変調するかどうかを決定することを含む方法。
【請求項１６】
ＦＯＸＣ２活性を変調する物質を同定する方法であって、
（ｉ）候補物質の存在下にて配列番号：１のアミノ酸配列を含む第一ポリペプチドと配列番号：２、３、４、５、６または７のアミノ酸配列を含む第二ポリペプチドとを接触させ；
（ｉｉ）候補物質の存在下における第一ポリペプチドのＦＯＸＣ２活性を測定し；そして、
（ｉｉｉ）候補物質の存在下における第一ポリペプチドのＦＯＸＣ２活性と候補物質の不存在下における第一ポリペプチドのＦＯＸＣ２活性を比較し、
そのことにより候補物質がＦＯＸＣ２活性を変調するかどうかを決定することを含む方法。
【請求項１７】
ＦＯＸＣ２活性を変調する物質を同定する方法であって、
（ｉ）配列番号：２、３、４、５、６または７のアミノ酸配列を含む第一ポリペプチドと候補物質とを接触させ、
（ｉｉ）第一ポリペプチドと結合する候補物質を決定し、
（ｉｉｉ）配列番号：１のアミノ酸配列を含む第二ポリペプチドと候補物質を接触させ、
（ｉｖ）候補物質の存在下における第二ポリペプチドのＦＯＸＣ２活性を測定し；そして、
（ｖ）候補物質の存在下における第二ポリペプチドのＦＯＸＣ２活性と候補物質の不存在下における第二ポリペプチドのＦＯＸＣ２活性を比較し、
そのことにより候補物質がＦＯＸＣ２活性を変調するかどうかを決定することを含む方法。
【請求項１８】
変調されたＦＯＸＣ２活性によって処置可能な病状の処置または予防のための医薬組成物であって、変調されたＦＯＸＣ２活性によって処置可能な病状の処置または予防に有効な量の請求項１５の方法によって同定された物質および製薬的に許容可能な担体を含み、そのような処置または予防の必要な患者に投与されることを特徴とする医薬組成物。
【請求項１９】
病状がＦＯＸＣ２活性の増大によって処置され得る、請求項１８に記載の医薬組成物。
【請求項２０】
病状が肥満症、高トリグリセリド血症、食事誘導インスリン抵抗性または２型糖尿病である、請求項１９に記載の医薬組成物。
【請求項２１】
病状がＦＯＸＣ２活性の減少によって処置され得る、請求項１８に記載の医薬組成物。
【請求項２２】
病状が食欲不振である請求項２１に記載の医薬組成物。
【請求項２３】
ＦＯＸＣ２相互作用タンパク質を精製するための方法であって、
（ｉ）配列番号：１のアミノ酸配列を含むＦＯＸＣ２タンパク質および配列番号：２、３、４、５、６または７のアミノ酸配列を含むＦＯＸＣ２相互作用タンパク質を包含するタンパク質複合体と、前記タンパク質複合体に結合する抗体とを接触させ；そして、
（ｉｉ）前記タンパク質複合体からＦＯＸＣ２相互作用タンパク質を精製することを含む方法。
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
ＣｕＫα線を用いて５°未満の２θにブラッグＸＲＤピークをもたず、かつ５０％超のポロシティーを有するナノポーラスな界面活性剤媒介金属酸化物フィルムを含む、界面活性剤媒介フィルム。
【請求項２】
請求項１に記載の界面活性剤媒介フィルムを基材上に含む、親水性物品。
【請求項３】
請求項２に記載の親水性物品を製造する方法であって、
チタニアのアルコキシドと、陽イオン性または非イオン性界面活性剤と、酸触媒とを含む界面活性剤媒介金属酸化物フィルム前駆体を提供するステップと、
物品の表面に該前駆体をコーティングするステップと、
該前駆体を乾燥させるステップと、
該界面活性剤を除去するステップと、
を含む、上記方法。
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
同じサンプルから核酸及びタンパク質を単離する方法であって、前記方法は前記サンプルと固体担体を接触させる工程を含み、ここで同じサンプル中に含まれる核酸及びタンパク質成分は別個の固体担体に結合する、方法。
【請求項２】
ＤＮＡ及びＲＮＡの両方が同じ固体担体に結合する、請求項１の方法。
【請求項３】
ＤＮＡ及びＲＮＡが別個の固体担体に結合する、請求項１の方法。
【請求項４】
ＤＮＡ及びＲＮＡが別個の工程において異なる固体担体に結合する、請求項３の方法。
【請求項５】
ＲＮＡとタンパク質、またはＤＮＡとタンパク質、またはＤＮＡ、ＲＮＡとタンパク質を同じサンプルから単離する、請求項１〜４のいずれかの方法。
【請求項６】
前記ＲＮＡがｍＲＮＡである、請求項５の方法。
【請求項７】
前記ＤＮＡがゲノムＤＮＡである、請求項５または６の方法。
【請求項８】
全ＲＡＮ及び／または全ＤＮＡが単離される、請求項１〜７のいずれかの方法。
【請求項９】
全核酸成分が単離される、請求項１〜７のいずれかの方法。
【請求項１０】
全タンパク質成分が単離される、請求項１〜９のいずれかの方法。
【請求項１１】
前記サンプルが食品または関連製品であり、または臨床、環境、または生体サンプルである、請求項１〜１０のいずれかの方法。
【請求項１２】
前記サンプルと前記固体担体を接触させる前に、該サンプルを核酸及び／またはタンパク質成分をそれらが含まれる構造または構成要素から遊離させるための予備処理工程に供する、請求項１〜１１のいずれかの方法。
【請求項１３】
前記サンプルと前記固体担体を接触させる前に、該サンプルを細胞単離手順に供する、請求項１〜１２のいずれかの方法。
【請求項１４】
１以上の特定細胞集団を特異的に単離する、請求項１３の方法。
【請求項１５】
単離に用いるサンプルまたは細胞集団を、該サンプルと固体担体との接触前に、細胞溶解工程に供する、請求項１〜１４のいずれかの方法。
【請求項１６】
前記サンプル内または前記サンプルから単離した細胞の細胞表面タンパク質を細胞溶解工程前に、ｉｎ  ｖｉｔｒｏ修飾手順に供する、請求項１５の方法。
【請求項１７】
サンプルが前記方法のどの段階においても分割されない、請求項１〜１６のいずれかの方法。
【請求項１８】
細胞単離及び／または溶解後、または前記予備処理工程後にサンプルを分割する、請求項１２〜１６のいずれかの方法。
【請求項１９】
前記サンプルを連続的に、または同時に、または並列に前記固体担体と接触させる、請求項１〜１８のいずれかの方法。
【請求項２０】
第１の工程においてＤＮＡを前記サンプルから単離し、第２の工程においてＲＮＡを前記サンプルから単離し、第３の工程においてタンパク質を前記サンプルから単離し、これらの工程を任意の順序で行う、請求項１９の方法。
【請求項２１】
ＤＮＡが表面カルボキシル基を運ぶ担体上で単離される、請求項１〜２０のいずれかの方法。
【請求項２２】
合成洗剤の存在下、ＤＮＡを固体担体に結合することにより単離する、請求項１〜２１のいずれかの方法。
【請求項２３】
細胞溶解及び固体担体への核酸またはＤＮＡ結合が同時にまたは付随して起こる、請求項１３〜２１のいずれかの方法。
【請求項２４】
ＲＮＡを固体担体により運ばれる、または固体担体に結合した、または結合することができるＲＮＡ特異的捕捉プローブを用いて単離する、請求項１〜２３のいずれかの方法。
【請求項２５】
前記捕捉プローブがｄＴオリゴヌクレオチドまたはｄＵオリゴヌクレオチドである、または含む、請求項２４の方法。
【請求項２６】
タンパク質を固体担体により運ばれる、または固体担体に結合した、または結合できる適当な結合パートナー／配位子を用いて単離する、請求項１〜２５のいずれかの方法。
【請求項２７】
タンパク質をクロマトグラフ相互作用を生じることができる表面を有する固体担体を用いて単離する、請求項１〜２５のいずれかの方法。
【請求項２８】
前記固体担体が粒子を含む、請求項１〜２７のいずれかの方法。
【請求項２９】
前記粒子が磁気粒子である、請求項２８の方法。
【請求項３０】
同じサンプルから核酸及びタンパク質を単離するためのキットであり、以下を含む：
（ａ）核酸成分を結合するのに適した固体担体；
（ｂ）タンパク質を結合するのに適した固体担体、
ここでａ）及びｂ）の担体は別個の固体担体である。
【請求項３１】
（ａ）の固体担体がＤＮＡまたはＲＮＡまたは両タイプの核酸に選択的に結合する担体を含む、請求項３０のキット。
【請求項３２】
キットが（ｃ）特定細胞集団の単離に適した固体担体及び／または（ｄ）前記細胞を溶解する手段、及び／または（ｅ）核酸及び／またはタンパク質を検出する手段も含む、請求項３０または３１のキット。
【請求項３３】
ｍＲＮＡ及び／またはタンパク質発現及び／またはゲノム情報とそれらの相互関係の分析及び／または比較のための請求項１〜３２のいずれかの方法の使用。
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
構造：
【化２】
2005538926.tif 000001
を有する、化合物。
【請求項２】
構造：
【化３】
2005538926.tif 000002
を有する化合物を製造する方法であって、
（ａ）構造：
【化４】
2005538926.tif 000003
を有する化合物を得る工程；
（ｂ）構造：
【化５】
2005538926.tif 000004
を有する化合物を得る工程；
（ｃ）工程（ａ）及び工程（ｂ）で得られた化合物から非環式デプシペプチドを合成する工程；及び
（ｄ）構造：
【化６】
2005538926.tif 000005
を有する化合物を工程（ｃ）の非環式デプシペプチドから合成する工程；を含む方法。
【請求項３】
（ａ）構造：
【化７】
2005538926.tif 000006
〔式中、
（ｉ）Ｒは、水素及びアルキル、アルコキシアルキル、アルコキシアシル、アルキルアミノ、アルキルニトロソ、アルキルシアノ、アルキルチオ、アルキルスルフィニル、アルキルスルホニル、アルケニル、アルコキシアルケニル、アルケニルアシル、アルケニルアミノ、アルケニルニトロソ、アルケニルシアノ、アルケニルチオ、アルケニルスルフィニル、アルケニルスルホニル、アルキニル、アルコキシアルキニル、アルキニルアシル、アルキニルアミノ、アルキニルニトロソ、アルキニルシアノ、アルキニルチオ、アルキニルスルフィニル、及びアルキニルスルホニル並びにヘテロ原子を有する又は有しない置換又は無置換のアリール基からなる集合から選択される化学基であり、そして
（ｉｉ）Ｒ′は、窒素又は酸素のいずれかである〕を有するイオノフォア；及び
（ｂ）イオノフォアが位置しているアンモニウムイオン透過性マトリックス材（ここで、該マトリックスは、イオン選択性電極での使用に適する）、
を含む、アンモニウムイオン選択的マトリックス。
【請求項４】
マトリックス材が、ガラス又はポリマーを含む、請求項３記載のアンモニウムイオン選択的マトリックス。
【請求項５】
流体試料中のアンモニウムイオンの存在を検出する方法であって、
（ａ）構造：
【化８】
2005538926.tif 000007
〔式中、
（ｉ）Ｒは、水素及びアルキル、アルコキシアルキル、アルコキシアシル、アルキルアミノ、アルキルニトロソ、アルキルシアノ、アルキルチオ、アルキルスルフィニル、アルキルスルホニル、アルケニル、アルコキシアルケニル、アルケニルアシル、アルケニルアミノ、アルケニルニトロソ、アルケニルシアノ、アルケニルチオ、アルケニルスルフィニル、アルケニルスルホニル、アルキニル、アルコキシアルキニル、アルキニルアシル、アルキニルアミノ、アルキニルニトロソ、アルキニルシアノ、アルキニルチオ、アルキニルスルフィニル、及びアルキニルスルホニル並びにヘテロ原子を有する又は有しない置換又は無置換のアリール基からなる集合から選択される化学基であり、そして
（ｉｉ）Ｒ′は、窒素又は酸素のいずれかである〕を有するイオノフォアを含むマトリックス（ここで、該マトリックスは、イオン選択性電極での使用に適する）を得る工程；
（ｂ）マトリックスを検出装置に接続する工程；
（ｃ）電気的信号、電位又は電流を、マトリックスを介して検出装置に供給する工程；
（ｄ）流体試料をマトリックスと接触させる工程；及び
（ｅ）検出装置によって供給される電気的信号を測定する工程；（ここで、電気的信号を、流体試料中のアンモニウムイオンの活量と相関させることができる）を含む方法。
【請求項６】
イオノフォアを含むイオン選択性電極において、構造：
【化９】
2005538926.tif 000008
〔式中、
（ａ）Ｒは、水素及びアルキル、アルコキシアルキル、アルコキシアシル、アルキルアミノ、アルキルニトロソ、アルキルシアノ、アルキルチオ、アルキルスルフィニル、アルキルスルホニル、アルケニル、アルコキシアルケニル、アルケニルアシル、アルケニルアミノ、アルケニルニトロソ、アルケニルシアノ、アルケニルチオ、アルケニルスルフィニル、アルケニルスルホニル、アルキニル、アルコキシアルキニル、アルキニルアシル、アルキニルアミノ、アルキニルニトロソ、アルキニルシアノ、アルキニルチオ、アルキニルスルフィニル、及びアルキニルスルホニル並びにヘテロ原子を有する又は有しない置換又は無置換のアリール基からなる集合から選択される化学基であり、そして
（ｂ）Ｒ′は、窒素又は酸素のいずれかである〕を有する化合物を、イオノフォアとして使用すること（ここで、該マトリックスは、イオン選択性電極での使用に適する）を含む改良。
【請求項７】
アンモニウムイオン透過性マトリックス材を含むアンモニウムイオン選択的センサーであって、ここで、該マトリックスは、イオン選択性電極での使用に適しており、該マトリックスは、構造：
【化１０】
2005538926.tif 000009
〔式中、
（ａ）Ｒは、水素及びアルキル、アルコキシアルキル、アルコキシアシル、アルキルアミノ、アルキルニトロソ、アルキルシアノ、アルキルチオ、アルキルスルフィニル、アルキルスルホニル、アルケニル、アルコキシアルケニル、アルケニルアシル、アルケニルアミノ、アルケニルニトロソ、アルケニルシアノ、アルケニルチオ、アルケニルスルフィニル、アルケニルスルホニル、アルキニル、アルコキシアルキニル、アルキニルアシル、アルキニルアミノ、アルキニルニトロソ、アルキニルシアノ、アルキニルチオ、アルキニルスルフィニル、及びアルキニルスルホニル並びにヘテロ原子を有する又は有しない置換又は無置換のアリール基からなる集合から選択される化学基であり、そして
（ｂ）Ｒ′は、窒素又は酸素のいずれかである〕を有するイオノフォアを含有する、センサー。
【請求項８】
マトリックス材が、ガラス又はポリマーを含む、請求項７記載のセンサー。
【請求項９】
マトリックス材が、更にイオン添加剤を含む、請求項７記載のセンサー。
【請求項１０】
マトリックス材が、検出装置に接続される、請求項７記載のセンサー。
【請求項１１】
更に参照電極を含む、請求項７記載のセンサー。
【請求項１２】
イオノフォアが、構造：
【化１１】
2005538926.tif 000010
〔式中、Ｒは、水素及びアルキル、アルコキシアルキル、アルコキシアシル、アルキルアミノ、アルキルニトロソ、アルキルシアノ、アルキルチオ、アルキルスルフィニル、アルキルスルホニル、アルケニル、アルコキシアルケニル、アルケニルアシル、アルケニルアミノ、アルケニルニトロソ、アルケニルシアノ、アルケニルチオ、アルケニルスルフィニル、アルケニルスルホニル、アルキニル、アルコキシアルキニル、アルキニルアシル、アルキニルアミノ、アルキニルニトロソ、アルキニルシアノ、アルキニルチオ、アルキニルスルフィニル、及びアルキニルスルホニル並びにヘテロ原子を有する又は有しない置換又は無置換のアリール基からなる集合から選択される化学基である〕を有する、請求項７記載のセンサー。
【請求項１３】
構造：
【化１２】
2005538926.tif 000011
を有するイオノフォアを含有するアンモニウムイオン透過性マトリックス材を含むアンモニウムイオン選択的センサー。
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
化学反応によりガスを製造する発生装置を含み、前記装置は、摩擦で発生する火花発生点火手段を含む化学ガス発生器。
【請求項２】
前記火花発生手段は、摩擦車輪と火打石とを含む請求項１に記載の発生器。
【請求項３】
前記点火手段は、点火領域の前記発生装置の表面を擦過する手段を含む請求項１又は２に記載の発生器。
【請求項４】
前記装置は、断面が優弧を有する円筒形状であり、前記点火手段は、前記円筒の平面の近傍に位置し、又は隣接する請求項１乃至３のいずれかに記載の発生器。
【請求項５】
前記点火手段は、前記装置の中心領域に位置し、前記装置は、動作中に、複数の燃焼面が伝播し、前記燃焼面が概ね異なる方向に伝播することを持続するように配置された請求項１乃至４のいずれかに記載の発生器。
【請求項６】
前記火花発生手段は、前記装置の中心領域に位置し、前記装置は、動作中に、互いに反対方向に進行する２つの燃焼面の伝播と、酸素の発生を持続するように配置され、前記装置は、真空ジャケットと断熱材料を含む断熱手段により少なくとも部分的に囲まれている請求項１に記載の発生器。